(57)【要約】【課題】  音声メッセージ伝達シートの外観を悪くすることなく音声情報の記録を禁止状態に設定することができる構成を有する音声メッセージ伝達シートとそのような構成を有さない音声メッセージ伝達シートとに少ない製造コスト及び在庫管理コストで利用可能とする。【解決手段】  導電パターンが形成され、音声情報の記録及び再生を行うための回路素子が導電パターンと接続されるように搭載される配線基板５０であって、回路素子に音声情報を記録するための導電パターン３５ｃが、他の領域から突出した突出部５とそれ以外の領域とに並列に形成されている。【選択図】図４
2006324313.tif 000002
【特許請求の範囲】
【請求項１】
導電パターンが形成され、音声情報の記録及び再生を行うための回路素子が前記導電パターンと接続されるように搭載される配線基板であって、
他の領域から突出した突出領域を有し、
前記回路素子に音声情報を記録するための導電パターンが、前記突出領域とそれ以外の領域とに並列に形成されている配線基板。
【発明の詳細な説明】
【技術分野】
【０００１】
本発明は、音声情報の記録及び再生が可能な音声メッセージ伝達シートに用いられる配線基板に関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００５】
そこで、音声情報の記録及び再生が可能に構成された音声カードが考えられている（例えば、特許文献１参照。）。
【０００６】
このような音声カードは、例えば、音声情報が記録される回路部と、回路部に対する音声情報の記録あるいは再生を行なうための記録・再生部とが２枚のカード基材に挟まれ、このカード基材に、音声情報を記録・再生部を介して入力する際に押下される録音ボタンと、回路部に記録された音声情報を記録・再生部を介して出力する際に押下される再生ボタンとが設けられて構成されている。回路部は配線基板上に搭載されており、この配線基板上には回路部に接続された導電パターンが形成されている。そして、録音ボタン及び再生ボタンはそれぞれ、配線基板に形成された導電パターンの所定の領域と対向する位置に設けられ、録音ボタンと導電パターンとが導通することにより音声情報が記録され、また、再生ボタンと導電パターンとが導通することにより音声情報が再生されることになる。
【０００７】
ここで、このように音声情報を記録可能に構成された音声カードに対する音声情報の記録は、記録・再生部を介して入力された音声情報を、回路部に記録された音声情報に上書きするように行われる。そのため、回路部に音声情報が記録された後に録音ボタンが誤って押下された場合、既に回路部に記録されている音声情報が消去されることになる。そこで、上述した特許文献１には、録音ボタン及びそれに対向する配線基板を容易に切り離すことができるような構成としておき、音声情報の記録後に録音ボタン及びそれに対向する配線基板を切り離すことにより、録音ボタンの誤操作によって音声情報が消去されてしまうことを回避する技術が記載されている。
【特許文献１】特公平３−４５４３３号公報
【発明の開示】
【発明が解決しようとする課題】
【０００８】
しかしながら、上述したように、録音ボタン及びそれに対向する配線基板を容易に切り離し可能に構成しておき、音声情報の記録後に録音ボタン及びそれに対向する配線基板を切り離すことにより、録音ボタンの誤操作によって音声情報が消去されてしまうことを回避するものにおいては、音声情報が記録された音声カードを送付する場合、音声カードが、その一部が切り離された状態で送付先に送付されることになるため、送付される音声カードの外観が悪くなってしまうという問題点がある。
【０００９】
そこで、配線基板及びこれを挟み込む２枚のカード基材をその一部が他の領域から突出した形状とし、配線基板の突出領域に録音ボタンと導通する導電パターンを形成しておき、音声情報の記録後に配線基板及びカード基材の突出領域を切り離すことにより、その後、録音ボタンの誤操作によって音声情報が消去されてしまうことを回避することが考えられる。このような構成とすれば、音声除法の記録後に録音ボタンの誤操作によって音声情報が消去されてしまうことを回避することができる構成としながらも、音声情報の記録後に送付される音声カードの外観が悪くなってしまうことはなくなる。
【００１０】
ここで、音声情報を記録可能に構成された音声カードにおいては、上述したように録音ボタンの誤操作によって音声情報が消去されてしまうことを回避するような構成のものに限らず、そのような構成を有さないものもある。そのため、上述したような一部が突出した配線基板を用いる場合、複数種類の配線基板を製造することになる。配線基板の製造コスト及び在庫管理コストは、製造する配線基板の種類の数に大きく影響するが、できるだけ少ない製造コスト及び在庫管理コストで複数種類の配線基板を利用可能とすることが望まれる。
【００１１】
本発明は、音声情報の記録及び再生が可能な音声メッセージ伝達シートに用いられる配線基板であって、音声メッセージ伝達シートの外観を悪くすることなく音声情報の記録を禁止状態に設定することができる構成を有する音声メッセージ伝達シートとそのような構成を有さない音声メッセージ伝達シートとのいずれにも適用可能とする配線基板を提供することを目的とする。
【課題を解決するための手段】
【００１２】
上記目的を達成するために本発明は、
導電パターンが形成され、音声情報の記録及び再生を行うための回路素子が前記導電パターンと接続されるように搭載される配線基板であって、
他の領域から突出した突出領域を有し、
前記回路素子に音声情報を記録するための導電パターンが、前記突出領域とそれ以外の領域とに並列に形成されている。
【００１３】
上記のように構成された本発明においては、音声情報の記録後に録音ボタンの誤操作によって音声情報が消去されてしまうことを回避する構成を有する音声メッセージ伝達シートに用いる場合は、回路素子に音声情報を記録するための並列に形成された導電パターンのうち、突出領域以外に形成された導電パターンを切断しておく。そして、この配線基板を用いて製造された音声メッセージ伝達シートにおいては、音声情報を記録した後に突出領域を切り離すことにより、回路素子に音声情報を記録するための並列に形成された導電パターンが両方とも断線した状態となり、それにより、録音ボタンの誤操作によって音声情報が消去されてしまうことを回避することができる。また、そのような構成を有さない音声メッセージ伝達シートに用いる場合は、突出領域を切り離しておく。そして、この配線基板を用いて製造された音声メッセージ伝達シートにおいては、回路素子に音声情報を記録するための並列に形成された導電パターンのうち、突出領域以外に形成された導電パターンによって音声情報の記録が可能となる。
【００１４】
このように、１つの種類で、録音ボタンの誤操作によって音声情報が消去されてしまうことを回避するような構成を有する音声メッセージ伝達シートと、そのような構成を有さない音声メッセージ伝達シートとのいずれにも適用可能となる。
【発明の効果】
【００１５】
以上説明したように本発明においては、回路素子に音声情報を記録するための導電パターンが、他の領域から突出した突出領域とそれ以外の領域とに並列に形成されている構成としたため、録音ボタンの誤操作によって音声情報が消去されてしまうことを回避する構成を有する音声メッセージ伝達シートに用いる場合は、回路素子に音声情報を記録するための並列に形成された導電パターンのうち、突出領域以外に形成された導電パターンを切断しておき、また、そのような構成を有さない音声メッセージ伝達シートに用いる場合は、突出領域を切り離しておくことにより、いずれの構成の音声メッセージ伝達シートにも適用可能となる。
【発明を実施するための最良の形態】
【００１６】
以下に、本発明の実施の形態について図面を参照して説明する。
【００１７】
図１は、本発明の配線基板を用いて製造された音声メッセージ伝達シートの実施の一形態を示す図であり、（ａ）は表面から見た図、（ｂ）は内部構造を示す図である。また、図２は、図１に示した音声メッセージ伝達シート１の積層状態を示す図である。
【００１８】
本形態は図１及び図２に示すように、音声情報の記録及び再生が可能なシート状の音声情報記録／再生部３０が、紙基材等の柔軟性を有し、かつ薄型の基材からなる２枚の支持シート２０ａ，２０ｂに挟まれ、また、音声情報記録／再生部３０が挟まれた支持シート２０ａ，２０ｂが、その外形が支持シート２０ａ，２０ｂと同一形状であって、紙基材等の柔軟性を有し、かつ薄型の基材からなる２枚の表面シート１０ａ，１０ｂに挟まれて構成されている。なお、表面シート１０ａ，１０ｂ、支持シート２０ａ，２０ｂ及び音声情報記録／再生部３０は、支持シート２０ａ，２０ｂの表裏に施された粘着加工によって互いに接着されている。この粘着加工は、支持シート２０ａ，２０ｂの表裏に両面テープを貼付することや、ホットメルト型接着剤を塗布すること等によって行うことが考えられる。また、表面シート１０ａ，１０ｂ、支持シート２０ａ，２０ｂ及び音声情報記録／再生部３０は、一部の領域が他の領域から突出した突出領域となる突出部５を有している。
【００１９】
また、音声情報記録／再生部３０は、ピエゾ素子４１や振動板４２からシート状に構成されて音声情報を入出力するための音声情報入出力部４０と、音声情報入出力部４０を介して入力された音声情報が記録されるメモリ領域を具備する薄型のＩＣチップ３４やコンデンサ、抵抗等の回路素子が搭載されるとともに、導電パターンが形成されて音声情報の記録及び再生が可能に構成された音声基板３２と、音声基板３２上の導電パターンのうち導電パターン３５ａ〜３５ｃに形成された断線部を導通させるための操作手段となるスイッチ３３ａ，３３ｂと、音声基板３２に接続され、音声基板３２に電源を供給するための柔軟性を有してなるペーパー電池３１とから構成されており、これにより、音声情報記録／再生部３０は、シート状に構成されている。また、音声基板３２に、外部からＩＣチップ３４に音声情報を入力したり、ＩＣチップ３４に記録された音声情報を外部に出力したりするための接続端子を設けることも考えられる。ここで、音声基板３２においては、柔軟性を有し、かつ薄型の繊維強化プラスチック（ＦＲＰ）やポリエチレンテレフタレート（ＰＥＴ）、ポリイミドあるいはリードフレーム等からなるベース基板に、異方性導電性接着剤（ＡＣＰ）や異方性導電性フィルム（ＡＣＦ）あるいはワイヤボンディング等によってＩＣチップ３４が接合されており、さらに、導電パターン３５ｃの一部を断線するようにスリット３６が形成されている。また、ＩＣチップ３４は、音声情報入出力部４０を介して入力された音声情報をメモリ領域に記録し、また、メモリ領域に記録された音声情報を音声情報入出力部４０を介して出力する制御を行う。また、スイッチ３３ａは、ＩＣチップ３４のメモリ領域に記録された音声情報を音声情報入出力部４０を介して出力する際に操作されるものであり、また、スイッチ３３ｂは、音声情報入出力部４０を介して入力された音声情報をＩＣチップ３４のメモリ領域に記録する際に操作されるものである。また、音声基板３２上に形成された導電パターン３５ａ〜３５ｃ以外の導電パターンは図示を省略してある。
【００２０】
また、支持シート２０ａにおいては、音声情報記録／再生部３０と積層された場合に、ペーパー電池３１、ＩＣチップ３４、スイッチ３３ａ，３３ｂ及び音声情報入出力部４０と対向する領域に穴２１ａ，２２，２３，２４ａがそれぞれ形成されており、また、支持シート２０ｂにおいては、音声情報記録／再生部３０と積層された場合に、ペーパー電池３１及び音声情報入出力部４０と対向する領域に穴２１ｂ，２４ｂがそれぞれ形成されている。
【００２１】
このように、支持シート２０ａの、ペーパー電池３１、ＩＣチップ３４、スイッチ３３ａ，３３ｂ及び音声情報入出力部４０と対向する領域に穴２１ａ，２２，２３，２４ａがそれぞれ形成され、また、支持シート２０ｂの、ペーパー電池３１及び音声情報入出力部４０と対向する領域に穴２１ｂ，２４ｂがそれぞれ形成されることにより、ペーパー電池３１、ＩＣチップ３４、スイッチ３３ａ，３３ｂ及び音声情報入出力部４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。
【００２２】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２３】
図３（ａ）に示すように、支持シート２０ａのペーパー電池３１と対向する領域に形成された穴２１ａはペーパー電池３１よりも大きく、また、スイッチ３３ａ，３３ｂと対向する領域に形成された穴２３はスイッチ３３ａ，３３ｂを含むように、また、ＩＣチップ３４と対向する領域に形成された穴２２はＩＣチップ３４よりも大きく、また、音声情報入出力部４０と対向する領域に形成された穴２４ａは音声情報入出力部４０よりも大きくなっている。
【００２４】
また、図３（ｂ）に示すように、支持シート２０ｂのペーパー電池３１と対向する領域に形成された穴２１ｂはペーパー電池３１よりも大きく、また、音声情報入出力部４０と対向する領域に形成された穴２４ｂは音声情報入出力部４０よりも小さくなっている。
【００２５】
これにより、音声情報記録／再生部３０は、２枚の支持シート２０ａ，２０ｂによって一部のみが表裏から挟み込まれるように積層され、支持シート２０ａ，２０ｂの表裏に施された粘着加工によって固定されている。
【００２６】
また、２枚の表面シート１０ａ，１０ｂのうち、支持シート２０ａの穴２２，２３を介してＩＣチップ３４及びスイッチ３３ａ，３３ｂと対向する側の表面シート１０ａにおいては、この音声メッセージ伝達シート１を郵送する場合における宛先情報や、所望の文字や絵、模様等が印刷される情報表示領域２が設けられているとともに、支持シート２０ａの穴２３を介してスイッチ３３ａと対向する領域にはスイッチ３３ａを操作するための再生ボタン３ａを示す印刷が施され、また、支持シート２０ａの穴２３を介してスイッチ３３ｂと対向する領域にはスイッチ３３ｂを操作するための録音ボタン３ｂを示す印刷が施され、また、支持シート２０ａの穴２４ａを介して音声情報入出力部４０と対向する領域には、音声情報入出力部４０から出力された音声を外部に出力するための微細な穴が羅列されてなる音声出力領域４が形成されている。このように微細な穴が羅列されてなる音声出力領域４が形成されているため、音声情報入出力部４０が表裏を表面シート１０ａ，１０ｂで覆われた状態であっても、音声情報入出力部４０から出力される音量の低下を補うことができる。なお、音声出力領域４においては、例えば、レーザ加工によって、０．１ｍｍ径の穴が縦横１．５ｍｍ間隔で形成されている。そのため、抜き加工や針等によって穴を形成する場合と比べてバリが発生せず、その後そのバリによって穴が塞がれてしまうことはない。また、再生ボタン３ａ及び録音ボタン３ｂにおいては、情報表示領域２に対する印刷と同時に印刷することや、表面シート１０ａに情報が印刷された後に、スイッチ３３ａ，３３ｂに対向する領域にそれぞれシールを貼付することによって設けることが考えられる。
【００２７】
以下に、上記のように構成された音声メッセージ伝達シート１の製造方法について説明する。
【００２８】
図４は、図１〜図３に示した音声メッセージ伝達シート１の製造方法を説明するための図である。
【００２９】
まず、上述したような材料からなるベース基板５１が複数マトリックス状となったシートに、エッチング等の手法によって、ベース基材５１毎に導電パターン３５ａ〜３５ｃを含む導電パターンを形成し、本発明の配線基板５０を作成する（図４（ａ））。なお、図４においては、説明を簡単にするために１つの配線基板５０しか図示しておらず、また、導電パターン３５ａ〜３５ｃ以外の導電パターンも図示を省略している。この導電パターン３５ａは、電源電位をスイッチ３３ａ，３３ｂの下部まで供給するものであって、ペーパー電池３１に接続される領域からスイッチ３３ａ，３３ｂの下部となる領域まで延びるように形成されている。また、導電パターン３５ｂは、ＩＣチップ３４に記録された音声情報を再生するものであって、ＩＣチップ３４の音声情報を再生するための指示信号が入力されるポート端子に接続される領域からスイッチ３３ａの下部となる領域まで延びるように形成されている。また、導電パターン３５ｃは、ＩＣチップ３４に音声情報を記録するための導電パターンであって、ＩＣチップ３４に音声情報を記録するための指示信号が入力されるポート端子に接続される領域からスイッチ３３ｂの下部となる領域まで延びるように形成され、さらに、突出部５とそれ以外の領域とに並列に形成される。
【００３０】
次に、マトリックス状となった複数の配線基板５０を刃型プレスによって配線基板５０毎に打ち抜くとともに、導電パターン３５ｃの並列となった部分のうち、突出部５ではない領域が断線するようにスリット３６を形成する（図４（ｂ））。
【００３１】
次に、配線基板５０上にＩＣチップ３４やコンデンサ、抵抗等の回路素子、並びにスイッチ３３ａ，３３ｂを搭載して音声基板３２を作製するとともに、この音声基板３２にペーパー電池３１及び音声情報入出力部４０を接続し、音声情報記録再生部３０を作製する（図４（ｃ））。
【００３２】
その後、この音声情報記録再生部３０を支持シート２０ａ，２０ｂ及び表面シート１０ａ，１０ｂによって挟み込むことにより、音声メッセージ伝達シート１が完成する（図４（ｄ））。
【００３３】
以下に、上述した音声メッセージ伝達シート１への音声情報の記録方法について説明する。
【００３４】
図５は、図１〜図３に示した音声メッセージ伝達シート１への音声情報の記録方法を説明するための図であり、（ａ）は突出部５が切り離されていない状態を示す図、（ｂ）は（ａ）に示したスイッチ３３ｂが押下されていない状態の断面図、（ｃ）は（ａ）に示したスイッチ３３ｂが押下された状態の断面図、（ｄ）は突出部５が切り離された状態を示す図である。
【００３５】
突出部５が切り離されていない状態においては、図５（ａ）に示すように、ペーパー電池３１の正極に接続された導電パターン３５ａがスイッチ３３ａ，３３ｂの下部まで延びるように形成された状態となっており、また、ＩＣチップ３４のポート端子のうち、ＩＣチップ３４のメモリ領域に記録された音声情報を再生するための指示信号が入力されるポート端子に接続された導電パターン３５ｂが導電パターン３５ａと接触しないように、かつスイッチ３３ａの下部まで延びるように形成された状態となっている。また、ＩＣチップ３４のポート端子のうち、音声情報入出力部４０を介して入力された音声情報をＩＣチップ３４のメモリ領域に記録するための指示信号が入力されるポート端子に接続された導電パターン３５ｃが導電パターン３５ａと接触しないように、かつスイッチ３３ｂの下部まで延びるように突出部５を介して形成された状態となっている。なお、ＩＣチップ３４においては、導電パターン３５ｂに接続されたポート端子が電源電位になった場合、ＩＣチップ３４のメモリ領域に記録された音声情報を出力し、また、導電パターン３５ｃに接続されたポート端子が電源電位になった場合、導電パターン３５ｃに接続されたポート端子が電源電位になっている間だけ、音声情報入出力部４０を介して入力された音声情報をＩＣチップ３４のメモリ領域に記録する。
【００３６】
この状態において、録音ボタン３ｂを介してスイッチ３３ｂが押下されていない場合は、図５（ｂ）に示すように、導電パターン３５ａと導電パターン３５ｃとがスイッチ３３ｂの下部にて導通していない状態となっている。そのため、ＩＣチップ３４のポート端子のうち、導電パターン３５ｃと接続されたポート端子、すなわち、音声情報入出力部４０を介して入力された音声情報をＩＣチップ３４のメモリ領域に記録するための指示信号が入力されるポート端子はオープン状態となっており、この状態にて音声情報入出力部４０を介して音声情報が入力されてもその音声情報はＩＣチップ３４のメモリ領域に記録されない。
【００３７】
一方、録音ボタン３ｂを介してスイッチ３３ｂが押下されると、図５（ｃ）に示すように、導電パターン３５ａと導電パターン３５ｃとが、スイッチ３３ｂの裏面に塗布された導電剤３８を介して電気的に接続された状態となる。すると、配線パターン３５ａがペーパー電池３１の正極に接続されているため、配線パターン３５ｃと接続されたポート端子、すなわち、音声情報入出力部４０を介して入力された音声情報をＩＣチップ３４のメモリ領域に記録するための指示信号が入力されるポート端子が電源電位となり、その状態において、音声情報入出力部４０を介して音声情報を入力すると、入力された音声情報がＩＣチップ３４のメモリ領域に記録される。このように、録音ボタン３ｂを介してスイッチ３３ｂを押下しながら音声情報を音声情報入出力部４０を介して入力することにより、音声情報入出力部４０を介して入力された音声情報がＩＣチップ３４に記録されることになる。
【００３８】
このようにしてＩＣチップ３４に音声情報を記録した後、突出部５を切り離すと、図５（ｄ）に示すように、音声情報入出力部４０を介して入力された音声情報をＩＣチップ３４のメモリ領域に記録するための指示信号が入力されるポート端子から延びて形成された導電パターン３５ｃが途中で断線し、スイッチ３３ｂの下部まで届かない状態となる。そのため、この状態で録音ボタン３ｂを介してスイッチ３３ｂが押下され、導電パターン３５ａと導電パターン３５ｃとが、スイッチ３３ｂの裏面に塗布された導電剤３８を介して電気的に接続された状態となっても、音声情報入出力部４０を介して入力された音声情報をＩＣチップ３４のメモリ領域に記録するための指示信号が入力されるポート端子は電源電位とはならず、ＩＣチップ３４に音声情報は記録されない。
【００３９】
これにより、ＩＣチップ３４に対する音声情報の記録が禁止状態となり、ＩＣチップ３４に音声情報が記録された後に録音ボタン３ｂの誤操作によってその音声情報が消去されてしまうことを回避することができる。
【００４０】
なお、上述したような突出部５の切り離しを容易にするために、表面シート１０ａ，１０ｂ及び支持シート２０ａ，２０ｂの突出部５とそれ以外の領域との境界部分にミシン目を形成したり、支持シート２０ａ，２０ｂを、突出部５とそれ以外の領域とで分割したりする構成としてもよい。
【００４１】
図６は、本発明の配線基板を用いて製造された音声メッセージ伝達シートの他の実施の形態を示す図であり、（ａ）は表面から見た図、（ｂ）は内部構造を示す図である。また、図７は、図６に示した音声メッセージ伝達シート１０１の積層状態を示す図である。
【００４２】
本形態は図６及び図７に示すように、音声情報の記録及び再生が可能なシート状の音声情報記録／再生部１３０が、紙基材等の柔軟性を有し、かつ薄型の基材からなる２枚の支持シート１２０ａ，１２０ｂに挟まれ、また、音声情報記録／再生部１３０が挟まれた支持シート１２０ａ，１２０ｂが、その外形が支持シート１２０ａ，１２０ｂと同一形状であって、紙基材等の柔軟性を有し、かつ薄型の基材からなる２枚の表面シート１１０ａ，１１０ｂに挟まれて構成されている。なお、表面シート１１０ａ，１１０ｂ、支持シート１２０ａ，１２０ｂ及び音声情報記録／再生部１３０は、支持シート１２０ａ，１２０ｂの表裏に施された粘着加工によって互いに接着されている。この粘着加工は、支持シート１２０ａ，１２０ｂの表裏に両面テープを貼付することや、ホットメルト型接着剤を塗布すること等によって行うことが考えられる。
【００４３】
また、音声情報記録／再生部１３０は、ピエゾ素子４１や振動板４２からシート状に構成されて音声情報を入出力するための音声情報入出力部４０と、音声情報入出力部４０を介して入力された音声情報が記録されるメモリ領域を具備する薄型のＩＣチップ３４やコンデンサ、抵抗等の回路素子が搭載されるとともに、導電パターンが形成されて音声情報の記録及び再生が可能に構成された音声基板１３２と、音声基板１３２上の導電パターンのうち導電パターン３５ａ〜３５ｃに形成された断線部を導通させるための操作手段となるスイッチ３３ａ，３３ｂと、音声基板１３２に接続され、音声基板１３２に電源を供給するための柔軟性を有してなるペーパー電池３１とから構成されており、これにより、音声情報記録／再生部１３０は、シート状に構成されている。ここで、音声基板１３２においては、柔軟性を有し、かつ薄型の繊維強化プラスチック（ＦＲＰ）やポリエチレンテレフタレート（ＰＥＴ）、ポリイミドあるいはリードフレーム等からなるベース基板に、異方性導電性接着剤（ＡＣＰ）や異方性導電性フィルム（ＡＣＦ）あるいはワイヤボンディング等によってＩＣチップ３４が接合されている。また、ＩＣチップ３４は、音声情報入出力部４０を介して入力された音声情報をメモリ領域に記録し、また、メモリ領域に記録された音声情報を音声情報入出力部４０を介して出力する制御を行う。また、スイッチ３３ａは、ＩＣチップ３４のメモリ領域に記録された音声情報を音声情報入出力部４０を介して出力する際に操作されるものであり、また、スイッチ３３ｂは、音声情報入出力部４０を介して入力された音声情報をＩＣチップ３４のメモリ領域に記録する際に操作されるものである。また、音声基板１３２上に形成された導電パターン３５ａ〜３５ｃ以外の導電パターンは図示を省略してある。
【００４４】
また、支持シート１２０ａにおいては、音声情報記録／再生部１３０と積層された場合に、ペーパー電池３１、ＩＣチップ３４、スイッチ３３ａ，３３ｂ及び音声情報入出力部４０と対向する領域に穴２１ａ，２２，２３，２４ａがそれぞれ形成されており、また、支持シート１２０ｂにおいては、音声情報記録／再生部１３０と積層された場合に、ペーパー電池３１及び音声情報入出力部４０と対向する領域に穴２１ｂ，２４ｂがそれぞれ形成されている。
【００４５】
このように、支持シート１２０ａの、ペーパー電池３１、ＩＣチップ３４、スイッチ３３ａ，３３ｂ及び音声情報入出力部４０と対向する領域に穴２１ａ，２２，２３，２４ａがそれぞれ形成され、また、支持シート１２０ｂの、ペーパー電池３１及び音声情報入出力部４０と対向する領域に穴２１ｂ，２４ｂがそれぞれ形成されることにより、ペーパー電池３１、ＩＣチップ３４、スイッチ３３ａ，３３ｂ及び音声情報入出力部４０が設けられている領域と他の領域とで厚さの差が小さくなり、それにより、表面シート１１０ａ，１１０ｂの平坦性が向上し、表面シート１１０ａ，１１０ｂ上に情報を容易に印刷することができるようになる。
【００４６】
図８は、図６及び図７に示した支持シート１２０ａ，１２０ｂと音声情報記録／再生部１３０とを積層した状態を示す図であり、（ａ）は支持シート１２０ａと音声情報記録／再生部１３０とを積層した状態を示す図、（ｂ）は支持シート１２０ｂと音声情報記録／再生部１３０とを積層した状態を示す図である。
【００４７】
図８（ａ）に示すように、支持シート１２０ａのペーパー電池３１と対向する領域に形成された穴２１ａはペーパー電池３１よりも大きく、また、スイッチ３３ａ，３３ｂと対向する領域に形成された穴２３はスイッチ３３ａ，３３ｂを含むように、また、ＩＣチップ３４と対向する領域に形成された穴２２はＩＣチップ３４よりも大きく、また、音声情報入出力部４０と対向する領域に形成された穴２４ａは音声情報入出力部４０よりも大きくなっている。
【００４８】
また、図８（ｂ）に示すように、支持シート１２０ｂのペーパー電池３１と対向する領域に形成された穴２１ｂはペーパー電池３１よりも大きく、また、音声情報入出力部４０と対向する領域に形成された穴２４ｂは音声情報入出力部４０よりも小さくなっている。
【００４９】
これにより、音声情報記録／再生部１３０は、２枚の支持シート１２０ａ，１２０ｂによって一部のみが表裏から挟み込まれるように積層され、支持シート１２０ａ，１２０ｂの表裏に施された粘着加工によって固定されている。
【００５０】
また、２枚の表面シート１１０ａ，１１０ｂのうち、支持シート１２０ａの穴２２，２３を介してＩＣチップ３４及びスイッチ３３ａ，３３ｂと対向する側の表面シート１１０ａにおいては、この音声メッセージ伝達シート１０１を郵送する場合における宛先情報や、所望の文字や絵、模様等が印刷される情報表示領域２が設けられているとともに、支持シート１２０ａの穴２３を介してスイッチ３３ａと対向する領域にはスイッチ３３ａを操作するための再生ボタン３ａを示す印刷が施され、また、支持シート１２０ａの穴２３を介してスイッチ３３ｂと対向する領域にはスイッチ３３ｂを操作するための録音ボタン３ｂを示す印刷が施され、また、支持シート１２０ａの穴２４ａを介して音声情報入出力部４０と対向する領域には、音声情報入出力部４０から出力された音声を外部に出力するための微細な穴が羅列されてなる音声出力領域４が形成されている。このように微細な穴が羅列されてなる音声出力領域４が形成されているため、音声情報入出力部４０が表裏を表面シート１１０ａ，１１０ｂで覆われた状態であっても、音声情報入出力部４０から出力される音量の低下を補うことができる。
【００５１】
以下に、上記のように構成された音声メッセージ伝達シート１０１の製造方法について説明する。
【００５２】
図９は、図６〜図８に示した音声メッセージ伝達シート１０１の製造方法を説明するための図である。
【００５３】
まず、上述したような材料からなるベース基板５１が複数マトリックス状となったシートに、エッチング等の手法によって、ベース基材５１毎に導電パターン３５ａ〜３５ｃを含む導電パターンを形成し、本発明の配線基板５０を作成する（図９（ａ））。なお、図９においては、説明を簡単にするために１つの配線基板５０しか図示しておらず、また、導電パターン３５ａ〜３５ｃ以外の導電パターンも図示を省略している。この導電パターン３５ａは、電源電位をスイッチ３３ａ，３３ｂの下部まで供給するものであって、ペーパー電池３１に接続される領域からスイッチ３３ａ，３３ｂの下部となる領域まで延びるように形成されている。また、導電パターン３５ｂは、ＩＣチップ３４に記録された音声情報を再生するものであって、ＩＣチップ３４の音声情報を再生するための指示信号が入力されるポート端子に接続される領域からスイッチ３３ａの下部となる領域まで延びるように形成されている。また、導電パターン３５ｃは、ＩＣチップ３４に音声情報を記録するための導電パターンであって、ＩＣチップ３４に音声情報を記録するための指示信号が入力されるポート端子に接続される領域からスイッチ３３ｂの下部となる領域まで延びるように形成され、さらに、配線基板５０の他の領域から突出した突出部５とそれ以外の領域とに並列に形成される。
【００５４】
次に、マトリックス状となった複数の配線基板５０を刃型プレスによって配線基板５０毎に打ち抜く（図９（ｂ））。この際、配線基板５０の突出部５も同時に切断してしまう。
【００５５】
次に、配線基板５０上にＩＣチップ３４やコンデンサ、抵抗等の回路素子、並びにスイッチ３３ａ，３３ｂを搭載して音声基板１３２を作製するとともに、この音声基板１３２にペーパー電池３１及び音声情報入出力部４０を接続し、音声情報記録再生部１３０を作製する（図９（ｃ））。
【００５６】
その後、この音声情報記録再生部１３０を支持シート１２０ａ，１２０ｂ及び表面シート１１０ａ，１１０ｂによって挟み込むことにより、音声メッセージ伝達シート１０１が完成する（図９（ｄ））。なお、突出部５を切断するタイミングは、配線基板５０を打ち抜くタイミングに限らず、音声情報記録再生部１３０を支持シート１２０ａ，１２０ｂ及び表面シート１１０ａ，１１０ｂによって挟み込んだ際に突出部５を切断してもよい。
【００５７】
以下に、上述した音声メッセージ伝達シート１０１への音声情報の記録方法について説明する。
【００５８】
図１０は、図６〜図８に示した音声メッセージ伝達シート１０１への音声情報の記録方法を説明するための図であり、（ａ）は音声基板１３２上の詳細な構成を示す図、（ｂ）は（ａ）に示したスイッチ３３ｂが押下されていない状態の断面図、（ｃ）は（ａ）に示したスイッチ３３ｂが押下された状態の断面図である。
【００５９】
図１０（ａ）に示すように本形態においては、ペーパー電池３１の正極に接続された導電パターン３５ａがスイッチ３３ａ，３３ｂの下部まで延びるように形成されており、また、ＩＣチップ３４のポート端子のうち、ＩＣチップ３４のメモリ領域に記録された音声情報を再生するための指示信号が入力されるポート端子に接続された導電パターン３５ｂが導電パターン３５ａと接触しないように、かつスイッチ３３ａの下部まで延びるように形成されている。また、ＩＣチップ３４のポート端子のうち、音声情報入出力部４０を介して入力された音声情報をＩＣチップ３４のメモリ領域に記録するための指示信号が入力されるポート端子に接続された導電パターン３５ｃが導電パターン３５ａと接触しないように、かつスイッチ３３ｂの下部まで延びるように形成されている。なお、ＩＣチップ３４においては、導電パターン３５ｂに接続されたポート端子が電源電位になった場合、ＩＣチップ３４のメモリ領域に記録された音声情報を出力し、また、導電パターン３５ｃに接続されたポート端子が電源電位になった場合、導電パターン３５ｃに接続されたポート端子が電源電位になっている間だけ、音声情報入出力部４０を介して入力された音声情報をＩＣチップ３４のメモリ領域に記録する。
【００６０】
上述した音声メッセージ伝達シート１０１においては、録音ボタン３ｂを介してスイッチ３３ｂが押下されていない場合は、図１０（ｂ）に示すように、導電パターン３５ａと導電パターン３５ｃとがスイッチ３３ｂの下部にて導通していない状態となっている。そのため、ＩＣチップ３４のポート端子のうち、導電パターン３５ｃと接続されたポート端子、すなわち、音声情報入出力部４０を介して入力された音声情報をＩＣチップ３４のメモリ領域に記録するための指示信号が入力されるポート端子はオープン状態となっており、この状態にて音声情報入出力部４０を介して音声情報が入力されてもその音声情報はＩＣチップ３４のメモリ領域に記録されない。
【００６１】
一方、録音ボタン３ｂを介してスイッチ３３ｂが押下されると、図１０（ｃ）に示すように、導電パターン３５ａと導電パターン３５ｃとが、スイッチ３３ｂの裏面に塗布された導電剤３８を介して電気的に接続された状態となる。すると、配線パターン３５ａがペーパー電池３１の正極に接続されているため、配線パターン３５ｃと接続されたポート端子、すなわち、音声情報入出力部４０を介して入力された音声情報をＩＣチップ３４のメモリ領域に記録するための指示信号が入力されるポート端子が電源電位となり、その状態において、音声情報入出力部４０を介して音声情報を入力すると、入力された音声情報がＩＣチップ３４のメモリ領域に記録される。このように、録音ボタン３ｂを介してスイッチ３３ｂを押下しながら音声情報を音声情報入出力部４０を介して入力することにより、音声情報入出力部４０を介して入力された音声情報がＩＣチップ３４に記録されることになる。
【００６２】
上述したように、図４（ａ）及び図９（ａ）に示した本発明の配線基板５０を用いれば、図１〜図３に示したようにＩＣチップ３４に音声情報が記録された後に録音ボタン３ｂの誤操作によってその音声情報が消去されてしまうことを回避することができる構成を有する音声メッセージ伝達シート１と、図６〜図８に示したようにそのような構成を有さない音声メッセージ伝達シート１０１とを１つの種類の配線基板５０によって作製することができる。
【図面の簡単な説明】
【００６３】
【図１】本発明の配線基板を用いて製造された音声メッセージ伝達シートの実施の一形態を示す図であり、（ａ）は表面から見た図、（ｂ）は内部構造を示す図である。
【図２】図１に示した音声メッセージ伝達シートの積層状態を示す図である。
【図３】図１及び図２に示した支持シートと音声情報記録／再生部とを積層した状態を示す図である。
【図４】図１〜図３に示した音声メッセージ伝達シートの製造方法を説明するための図である。
【図５】図１〜図３に示した音声メッセージ伝達シートへの音声情報の記録方法を説明するための図であり、（ａ）は突出部が切り離されていない状態を示す図、（ｂ）は（ａ）に示したスイッチが押下されていない状態の断面図、（ｃ）は（ａ）に示したスイッチが押下された状態の断面図、（ｄ）は突出部が切り離された状態を示す図である。
【図６】本発明の配線基板を用いて製造された音声メッセージ伝達シートの他の実施の形態を示す図であり、（ａ）は表面から見た図、（ｂ）は内部構造を示す図である。
【図７】図６に示した音声メッセージ伝達シートの積層状態を示す図である。
【図８】図６及び図７に示した支持シートと音声情報記録／再生部とを積層した状態を示す図である。
【図９】図６〜図８に示した音声メッセージ伝達シート図の製造方法を説明するための図である。
【図１０】図６〜図８に示した音声メッセージ伝達シートへの音声情報の記録方法を説明するための図であり、（ａ）は音声基板上の詳細な構成を示す図、（ｂ）は（ａ）に示したスイッチが押下されていない状態の断面図、（ｃ）は（ａ）に示したスイッチが押下された状態の断面図である。
【符号の説明】
【００６４】
１，１０１    音声メッセージ伝達シート
２    情報表示領域
３ａ    再生ボタン
３ｂ    録音ボタン
４    音声入出力領域
５    突出部
１０ａ，１０ｂ，１１０ａ，１１０ｂ    表面シート
２０ａ，２０ｂ，１２０ａ，１２０ｂ    支持シート
２１ａ，２１ｂ，２２，２３，２４ａ，２４ｂ    穴
３０，１３０    音声情報記録／再生部
３１    ペーパー電池
３２，１３２    音声基板
３３ａ，３３ｂ    スイッチ
３４    ＩＣチップ
３５ａ〜３５ｃ    導電パターン
３６    スリット
３８    導電剤
４０    音声情報入出力部
４１    ピエゾ素子
４２    振動板
５０    配線基板
５１    ベース基板
【図１】
2006324313.tif 000003
【図２】
2006324313.tif 000004
【図３】
2006324313.tif 000005
【図４】
2006324313.tif 000006
【図５】
2006324313.tif 000007
【図６】
2006324313.tif 000008
【図７】
2006324313.tif 000009
【図８】
2006324313.tif 000010
【図９】
2006324313.tif 000011
【図１０】
2006324313.tif 000012